(57)【要約】【課題】  共通の部品を用いて、部品の種類の数を削減出来、様々なバリエーションの建物プランに対応出来る玄関ポーチを提供する。【解決手段】  庇部１７を、平板状の袖壁部１８と一体に設けられた柱部２５で支持する玄関ポーチ１６である。  庇部１７には、柱部２５が、固定される袖壁受金具１７ｂが設けられていて、この袖壁受金具１７ｂを中心として、柱部２５の取付方向を変えて装脱着可能とすることにより、袖壁部１８の面延設方向を、庇部１７に対して、変更可能としている。【選択図】図１
2005155101.tif 000002
【特許請求の範囲】
【請求項１】
庇部を、平板状の袖壁と一体に設けられた柱部で支持する玄関ポーチにおいて、
前記庇部には、前記柱部が、固定される可変装着部を設けると共に、該可変装着部を中
心として、前記柱部の取付方向を変えて装脱着可能とすることにより、前記袖壁の面延設
方向を前記庇部に対して、変更可能とすることを特徴とする玄関ポーチ。
【発明の詳細な説明】
【技術分野】
【０００１】
この発明は、共通の部品を用いて、様々なバリエーションの建物プランに対応出来る玄
関ポーチに関するものである。
【背景技術】
【０００２】
従来、図１１又は図１２に示すような玄関ポーチが、知られている（例えば、特許文献
１等参照）。
【０００３】
まず、構成から説明すると、建物１の１階部分の玄関２前には、玄関ポーチ３が設けら
れている。
【０００４】
この玄関ポーチ３では、コンクリートで構成される床部４と、この床部４の上方を覆う
ように庇状に形成される小屋根部５と、この小屋根部５を下方から支持する袖壁部６とを
有して主に構成されている。
【０００５】
このうち、前記袖壁部６は、内部に、断面略正方形の中空鋼管材によって構成される柱
本体７の側面７ａに、断面略コ字状の縦枠材８が固定されていると共に、この縦枠材８と
、対となる断面略コ字状の縦枠材９との周囲には、複数の下地桟１０…等を介在させて、
周囲を覆うように、パネル状の外装材１１…が貼設されている。
【０００６】
次に、この従来の玄関ポーチの作用について説明する。
【０００７】
このように構成された従来の玄関ポーチでは、前記小屋根部５を下方から支持する一本
の柱本体７の周囲に、外装材１１…が貼設される。
【０００８】
このため、所望の強度を確保しつつ、外観デザインのバリエーションを増大させること
が出来る。
【特許文献１】特許第２６７５７５９号公報（図１、図２、段落００１１乃至００２６）
【発明の開示】
【発明が解決しようとする課題】
【０００９】
しかしながら、このような従来の玄関ポーチでは、前記袖壁部６の面延設方向が、玄関
２の位置によって異なる場合や、この袖壁部６の横幅寸法の相違によって、前記小屋根部
５への固定位置が異なって設定されている。
【００１０】
このため、玄関ポーチの種類毎に、異なる袖壁部６を用意しなければならず、部品点数
が増大して、部品等の管理コストの上昇を抑制することが困難であるといった問題があっ
た。
【００１１】
そこで、この発明は、共通の部品を用いて、部品の種類の数を削減出来、様々なバリエ
ーションの建物プランに対応出来る玄関ポーチを提供することを課題としている。
【課題を解決するための手段】
【００１２】
上記目的を達成するために、請求項１に記載された発明では、庇部を、平板状の袖壁と
一体に設けられた柱部で支持する玄関ポーチにおいて、前記庇部には、前記柱部が、固定
される可変装着部を設けると共に、該可変装着部を中心として、前記柱部の取付方向を変
えて装脱着可能とすることにより、前記袖壁の面延設方向を前記庇部に対して、変更可能
とする玄関ポーチを特徴としている。
【発明の効果】
【００１３】
このように構成された本願発明の請求項１記載のものは、前記庇部に設けられた可変装
着部に対して、該柱部の取付方向を変更することにより、容易に、前記袖壁の面延設方向
を前記庇部に対して、可変させることができる。
【００１４】
このため、前記柱部及び袖壁を共通の部品として用いて、部品の種類の数を増大させる
ことなく、様々なバリエーションの建物プランに対応させることが出来る。
【発明を実施するための最良の形態】
【００１５】
次に、図面に基づいて、この発明を実施するための最良の実施の形態の玄関ポーチを説
明する。
【００１６】
なお、前記従来例と同一乃至均等な部分については同一符号を付して説明する。
【００１７】
図１乃至図１０は、この発明の実施の形態の玄関ポーチを説明するものである。
【００１８】
まず、構成を説明すると、この発明の実施の形態では、建物としてのユニット住宅１２
が、複数の居室ユニット１３，１４等を組み合わせることにより構成されている。
【００１９】
このうち、１階部分の居室ユニット１３は、前記居室ユニット１４よりも、妻方向長さ
が短くなるように形成されていて、この居室ユニット１３の端面に形成される玄関２前の
入隅部１５に、玄関ポーチ１６が、設けられている。
【００２０】
この実施の形態の玄関ポーチ１６は、主に、コンクリートで構成されて、数段の階段部
４ａが設けられた床部４と、この床部４の上方を覆うように小屋根状に形成される庇部１
７と、この庇部１７を下方から支持する袖壁部１８とを有して主に構成されている。
【実施例１】
【００２１】
この実施の形態の実施例１では、前記袖壁部１８の面延設方向が、各居室ユニット１３
，１４の妻方向に沿うように設けられていて、玄関２の玄関ドア２ａが閉じた状態で、こ
の玄関ドア２ａ延設方向と直交するように構成されている。
【００２２】
この袖壁部１８は、平板状の台座部２０の上に、回転台座２１及び固定座金２２が設け
られて、上下方向に沿って延設される断面略ロ字状を呈して中空状の柱部２５の下端部へ
、前記回転台座２１が回動自在に挿通されると共に、複数の固定具２３…によって、この
袖壁部１８の周縁を構成するフレーム部材２４及び柱部２５が、固定されるように構成さ
れている。
【００２３】
このフレーム部材２４及び柱部２５の表，裏面側には、外壁面材２６，２６が略全面に
渡り貼設されていて、中央上部の一部に、ガラス若しくはポリカーボネート製で、矩形状
の窓材２６ａが、嵌着される窓開口部２６ｂが、開口形成されている。
【００２４】
前記庇部１７の下面側には、前記柱部２５の取付方向を変更可能とする可変装着部２７
が設けられている。
【００２５】
この可変装着部２７には、図９に示すように、前記庇部１７の出隅コーナ部１７ａに固
着されて、略Ｌ字状の袖壁受金具１７ｂが設けられている。
【００２６】
また、この袖壁受金具１７ｂが、前記柱部２５の上端に設けられた上端装着部２５ａを
構成する開口部２５ｂ内に挿通される。
【００２７】
この実施の形態では、前記開口部２５ｂに対する前記袖壁受金具１７ｂの挿通によって
、前記柱部２５の取付方向を９０度づつ変更可能となるように構成されている。
【００２８】
また、前記開口部２５ｂを構成する四面の壁部には、各々ボルト孔が開口形成されてい
て、異なる角度で挿通された前記袖壁受金具１７ｂのいずれかの辺のボルト孔と対向され
るように構成されている。
【００２９】
そして、図５に示すように、これらの開口部２５ｂ周縁と、前記袖壁受金具１７ｂとの
間が、ボルト部材１９…によって着脱可能となるように、締結されて、この可変装着部２
７を中心として、前記柱部２５の取付方向を変えて装脱着可能とすることにより、前記袖
壁部１８の面延設方向を前記庇部１７に対して、適宜、変更可能とするように構成されて
いる。
【００３０】
次に、この実施の形態の実施例１の作用について説明する。
【００３１】
この実施例１では、前記庇部１７に設けられた可変装着部２７の袖壁受金具１７ｂを、
前記柱部２５の開口部２５ｂの内側に挿通させて、前記ボルト部材１９，１９によって固
定する際、取付方向を変更することにより、容易に、前記袖壁部１８の面延設方向を前記
庇部１７に対して、可変させることができる。
【００３２】
このため、前記柱部２５及び袖壁部１８を構成する前記フレーム部材２４や外壁面材２
６を共通の部品として用いて、部品の種類の数を増大させることなく、様々なバリエーシ
ョンの建物プランに対応させることが出来る。
【実施例２】
【００３３】
図７乃至図１０は、この発明の実施の形態の実施例２の玄関ポーチを示すものである。
【００３４】
なお、前記実施例１と同一乃至均等な部分については、同一符号を付して説明する。
【００３５】
この実施例２では、居室ユニット１１４の側面部に設けられた玄関２が、玄関ドア２ａ
を閉じた状態で、前記実施例１の玄関ドア２ａと９０度、異なる方向に設けられる住宅プ
ランが採用されたユニット住宅１１２に用いられるものである。
【００３６】
このような実施例２のユニット住宅１１２では、前記袖壁部１８の面延設方向が、各居
室ユニット１３，１１４の桁面延設方向に沿い、妻方向に対しては、直交されて設けられ
ていて、玄関２の玄関ドア２ａが閉じた状態で、この玄関ドア２ａ延設方向と直交するよ
うに構成されている。
【００３７】
次に、この実施例２の作用について説明する。
【００３８】
この実施例２では、図９に示すように、前記庇部１７に設けられた可変装着部２７の袖
壁受金具１７ｂを、前記実施例１の袖壁部１８とは、９０度面延設方向を異ならせた状態
で、前記柱部２５の開口部２５ｂ内側に挿通させる。
【００３９】
そして、図１０に示すように、前記ボルト部材１９，１９をナット部材２９，２９に螺
合させることによって固定する。
【００４０】
このため、容易に、前記袖壁部１８の面延設方向を前記庇部１７に対して、可変させる
ことができる。
【００４１】
従って、前記柱部２５及び袖壁部１８を構成する前記フレーム部材２４や外壁面材２６
を共通の部品として用いて、部品の種類の数を増大させることなく、様々なバリエーショ
ンの建物プランに対応させることが出来る。
【００４２】
他の構成、及び作用効果については、前記実施例１と同一乃至均等であるので説明を省
略する。
【００４３】
以上、図面を参照して、本発明の実施の形態を詳述してきたが、具体的な構成は、この
実施の形態に限らず、本発明の要旨を逸脱しない程度の設計的変更は、本発明に含まれる
。
【００４４】
例えば、前記実施の形態では、少なくとも２つの居室ユニット１３，１４を有するユニ
ット住宅１２及び居室ユニット１３，１１４を有するユニット住宅１１２を用いて、入隅
部１５に玄関ポーチ１６等を形成するものを例示して説明したきたが、特にこれに限らず
、例えば、単独の居室ユニットの直線状の側面部に玄関ポーチが形成されるもの等であっ
ても、前記可変装着部２７を中心として、前記柱部２５の取付方向を変えて装脱着可能と
するものであるならば、どのような住宅プランに適用されても良い。
【図面の簡単な説明】
【００４５】
【図１】この発明の実施の形態の実施例１の玄関ポーチで、要部の構成を説明する分解斜視図である。
【図２】実施例１の玄関ポーチが適用される住宅プランで、配置を説明する模式的な平面図である。
【図３】実施例１の玄関ポーチで、庇部を上方から見た模式的な平面図である。
【図４】実施例１の玄関ポーチで、玄関の正面図である。
【図５】実施例１の玄関ポーチで、図４中Ａ部の構成を説明する拡大断面図である。
【図６】実施例１の玄関ポーチで、玄関の側面図である。
【図７】実施例２の玄関ポーチで、建物を上方から見た模式的な平面図である。
【図８】実施例２の玄関ポーチで、図７中Ｂ部の拡大断面図である。
【図９】実施例２の玄関ポーチで、図７中Ｂ部の拡大分解斜視図である。
【図１０】実施例２の玄関ポーチで、図９中Ｃ−Ｃ線に沿った位置での断面図である。
【図１１】従来例の玄関ポーチで、構成を説明する玄関の斜視図である。
【図１２】従来例の玄関ポーチで、図１１中Ｄ−Ｄ線に沿った位置での断面図である。
【符号の説明】
【００４６】
１２，１１２      ユニット住宅（建物）
１６              玄関ポーチ
１７              庇部
１８              袖壁部（袖壁）
２５              柱部
２７              可変装着部
１７ａ            袖壁受金具
２５ａ            上端装着部
２５ｂ            開口部
【図１】
2005155101.tif 000003
【図２】
2005155101.tif 000004
【図３】
2005155101.tif 000005
【図４】
2005155101.tif 000006
【図５】
2005155101.tif 000007
【図６】
2005155101.tif 000008
【図７】
2005155101.tif 000009
【図８】
2005155101.tif 000010
【図９】
2005155101.tif 000011
【図１０】
2005155101.tif 000012
【図１１】
2005155101.tif 000013
【図１２】
2005155101.tif 000014